(57)【要約】      （修正有）【課題】安定性の高い杖を提供する。【解決手段】頭部４０と、頭部４０から分岐して垂下され、地面Ｇに接する接地部を下端に有する脚部と、を備え、脚部は、３本であることを特徴とする杖１００であって、脚部は、第１脚部１０、第２脚部２０及び第３脚部３０から構成され、第１脚部１０の下端は、第２脚部２０の下端及び第３脚部３０の下端より前方に設けられ、第１脚部１０は、前方に傾斜している。これにより、杖１００は使用者をしっかりと支持でき、安定性が高い。【選択図】図１
2019058244.tif 000002
【特許請求の範囲】
【請求項１】
頭部と、
前記頭部から分岐して垂下され、地面に接する接地部を下端に有する脚部と、を備え、
前記脚部は、３本である
ことを特徴とする杖。
【請求項２】
前記脚部は、第１脚部、第２脚部及び第３脚部から構成され、
前記第１脚部の下端は、前記第２脚部の下端及び前記第３脚部の下端より前方に設けられる
ことを特徴とする請求項１に記載の杖。
【請求項３】
前記第１脚部は、前方に傾斜している
ことを特徴とする請求項２に記載の杖。
【請求項４】
前記頭部は、略水平に延びる水平部と、前記水平部の両側から下方の後方に傾斜するように連なって延びる第１傾斜部及び第２傾斜部が設けられた持ち手部を有する
ことを特徴とする請求項２又は請求項３に記載の杖。
【請求項５】
前記第１脚部は、前記水平部に連なる
ことを特徴とする請求項４に記載の杖。
【請求項６】
前記第２脚部及び前記第３脚部は、それぞれ、前記第１傾斜部及び前記第２傾斜部の下端に連なる
ことを特徴とする請求項４又は請求項５に記載の杖。
【請求項７】
前記頭部は、前記持ち手部とは別体の補剛部を有する
ことを特徴とする請求項４から請求項６のいずれか１項に記載の杖。
【請求項８】
前記第１脚部は、前記補剛部に連なる
ことを特徴とする請求項７に記載の杖。
【請求項９】
前記杖は、
平面視において左右対称な形状である
ことを特徴とする請求項１から請求項８のいずれか１項に記載の杖。
【発明の詳細な説明】
【技術分野】
【０００１】
本発明は、杖に関する。
【背景技術】
【０００２】
従来、自立可能な４本の支柱から構成された杖がある（例えば、特許文献１参照）。
【０００３】
しかしながら、従来の杖は、自立可能であるものの、使用者によって杖に加えられる力の作用方向が支柱の軸線方向に対して少しずれたり傾いたりすると、その力を安定した姿勢で受けることができない場合があり、安定性に問題があった。特に、地面が不陸である場合、４本の支柱は、同時に地面に接することができず、地面からバランスよく反力を受けられないので、安定性の問題は顕著であった。
【先行技術文献】
【特許文献】
【０００４】
【特許文献１】登録実用新案第３０９８６６８号公報
【発明の概要】
【発明が解決しようとする課題】
【０００５】
本発明は、上述のような課題に鑑みなされたものであり、安定性の高い杖を提供することを目的とする。
【課題を解決するための手段】
【０００６】
本発明は、上記目的を達成するために、以下の構成によって把握される。
（１）本発明の杖は、頭部と、前記頭部から分岐して垂下され、地面に接する接地部を下端に有する脚部と、を備え、前記脚部は、３本である。
（２）上記（１）の構成において、前記脚部は、第１脚部、第２脚部及び第３脚部から構成され、前記第１脚部の下端は、前記第２脚部の下端及び前記第３脚部の下端より前方に設けられる。
（３）上記（２）の構成において、前記第１脚部は、前方に傾斜している。
（４）上記（２）又は（３）の構成において、前記頭部は、略水平に延びる水平部と、前記水平部の両側から下方の後方に傾斜するように連なって延びる第１傾斜部及び第２傾斜部が設けられた持ち手部を有する。
（５）上記（４）の構成において、前記第１脚部は、前記水平部に連なる。
（６）上記（４）又は（５）の構成において、前記第２脚部及び前記第３脚部は、それぞれ、前記第１傾斜部及び前記第２傾斜部の下端に連なる。
（７）上記（４）から（６）のいずれかの構成において、前記頭部は、前記持ち手部とは別体の補剛部を有する。
（８）上記（７）の構成において、前記第１脚部は、前記補剛部に連なる。
（９）上記（１）から（８）のいずれかの構成において、前記杖は、平面視において左右対称な形状である。
【発明の効果】
【０００７】
本発明によれば、安定性の高い杖を提供することができる。
【図面の簡単な説明】
【０００８】
【図１】第１実施形態に係る杖の三面図であり、（ａ）は正面図、（ｂ）は平面図、（ｃ）は右側面図、（ｄ）は斜視図である。
【図２】第２実施形態に係る杖の三面図であり、（ａ）は正面図、（ｂ）は平面図、（ｃ）は右側面図、（ｄ）は斜視図である。
【発明を実施するための形態】
【０００９】
（第１実施形態）
以下、本発明を実施するための第１の形態（以下、「第１実施形態」という）を、添付図面に基づいて詳細に説明する。
【００１０】
図１は第１実施形態に係る杖の三面図であり、図１（ａ）は正面図、図１（ｂ）は平面図、図１（ｃ）は右側面図、図１（ｄ）は斜視図である。なお、図１（ａ）及び図１（ｃ）は、杖１００が、地面Ｇに対して各脚部の下部の３点が接して自立した状態を示す。なお、特に説明のない限り、図１（ｂ）における上側及び図１（ｃ）における右側を、ぞれぞれ、前方と呼び、図１（ｂ）における下側及び図１（ｃ）における左側を、それぞれ、後方と呼ぶこととする。
【００１１】
図１（ａ）、図１（ｂ）、図１（ｃ）及び図１（ｄ）に示すように、第１実施形態に係る杖１００は、頭部４０と、頭部４０から分岐して垂下され、地面Ｇに接する接地部を下端に有する脚部と、を備える。脚部は、第１脚部１０、第２脚部２０及び第３脚部３０から構成される。このように、脚部は、３本である。したがって、地面Ｇが不陸であっても、各脚部（第１脚部１０、第２脚部２０及び第３脚部３０）の下部の３点が地面Ｇに接するので、頭部４０を安定して支持できる。よって、使用者が杖１００に寄りかかったりすることで杖１００に力が作用しても、最低限の本数の脚部により、使用者に適切に反力を伝えられる。そして、杖１００は転倒することなくしっかりと使用者を支持でき、安定性が高い。
【００１２】
また、杖１００は、地面Ｇに対して各脚部の下部の３点が接した状態で自立できるように重心が設定されている。これにより、杖１００を、不使用時においても安定した状態にできる。
【００１３】
第１脚部１０の下端は、第２脚部２０の下端及び第３脚部３０の下端より前方に設けられる。これにより、使用者が前方に寄りかかって、第１脚部１０の上端に斜め前方に向けた力が作用しても、第２脚部２０の下端と第３脚部３０の下端とを結ぶ線を中心として杖１００の全体が前方に回転しようとする力に対して第１脚部１０が抵抗するので、杖１００は転倒することなくしっかりと使用者を支持でき、安定性が高い。
【００１４】
第１脚部１０は、図１（ｃ）に示すように、側面視において、前方に所定の角度αで傾斜している。これにより、使用者が前方に寄りかかって、第１脚部１０の上端に斜め前方に向けた力が作用しても、その力の向きと第１脚部１０の上端と第１脚部１０の下端とを結ぶ向きとの乖離が小さくなるので、杖１００は転倒することなくしっかりと使用者を支持でき、安定性が高い。
【００１５】
また、第１脚部１０の前方に傾斜する角度αは、第２脚部２０及び第３脚部３０の後方に傾斜する角度βより大きい。これにより、使用者が歩行せずにその場に立ち止まった状態のように、上方から後方に杖１００に向けて体重をかけても、主に第２脚部２０及び第３脚部３０には軸方向に力が作用するので、頭部４０と第２脚部２０及び第３脚部３０との間に作用するモーメントが減り、杖１００の変形が抑えられてしっかりと使用者を支持できるとともに、使用者が歩行している状態のように、斜め前方の下方に杖１００に向けて体重がかかっても、主に第１脚部１０には軸方向に力が作用するので、頭部４０と第１脚部１０との間に作用する曲げモーメントが減り、杖１００の変形が抑えられて、しっかりと使用者を支持でき、安定性が高い。
【００１６】
頭部４０は、略水平に延びる水平部４１と、水平部４１の両側から下方の後方に傾斜するように連なって延びる第１傾斜部４２及び第２傾斜部４３が設けられた持ち手部を有する。頭部４０が持ち手部として水平部４１を有することにより、使用者が手で水平部４１を持った状態で前方に寄りかかっても、使用者の手には水平部４１から略垂直に反力が伝わるので、手が滑りにくい。その結果、杖１００は使用者をしっかりと支持できる。同様に、頭部４０が持ち手部として第１傾斜部４２及び第２傾斜部４３を有することにより、使用者が手で第１傾斜部４２及び第２傾斜部４３を持った状態で前方に寄りかかっても、使用者の手には第１傾斜部４２及び第２傾斜部４３から略垂直に反力が伝わるので、手が滑りにくい。その結果、杖１００は使用者をしっかりと支持でき、安定性が高い。
【００１７】
第１脚部１０は、水平部４１に連なる。これにより、水平部４１の剛性が増すので、使用者により水平部４１に直接的に力が作用しても、その力を第１脚部１０に伝えることができ、水平部４１の変位を抑えられる。すなわち、水平部４１に力を加えても、地面Ｇからの反力を受けて第１脚部１０が突っ張るので、水平部４１の位置は変化し難い。その結果、杖１００は使用者をしっかりと支持でき、安定性が高い。
【００１８】
第２脚部２０及び第３脚部３０は、それぞれ、第１傾斜部４２及び第２傾斜部４３の下端に連なる。これにより、棒材やパイプ材を曲げ加工することにより、第２脚部２０及び第３脚部３０と、第１傾斜部４２及び第２傾斜部４３とを、一体成形できる。なお、第２脚部２０及び第３脚部３０と、第１傾斜部４２及び第２傾斜部４３と、水平部４１とを、一体成形してもよい。これにより、棒材やパイプ材を曲げ加工することにより簡単に成形できる。なお、頭部４０、第１脚部１０、第２脚部２０及び第３脚部３０をそれぞれ別体とし、杖１００を、頭部４０に対して、第１脚部１０、第２脚部２０及び第３脚部３０を個別に嵌め込んで組立可能な構造としてもよい。
第１傾斜部４２及び第２傾斜部４３の下端から第２脚部２０及び第３脚部３０への遷移部分は、湾曲してなだらかに連なる状態となっている。これにより、使用者が手でその遷移部分を持っても、手の一部に反力が集中せず分散するので、杖１００が持ち易い。
【００１９】
杖１００は、図１（ｂ）に示すように、平面視において左右対称な形状である。これにより、使用者が左方の下方又は右方の下方のいずれに力を作用させても、杖１００は使用者をバランスよく支持できる。よって、例えば、使用者が、左手で第１傾斜部４２を持ち、同時に、右手で第２傾斜部４３を持つことで、杖１００を両手で持った状態で歩行しても、杖１００は使用者をしっかりと支持できる。
【００２０】
（第２実施形態）
次に、本発明を実施するための第２の形態（以下、「第２実施形態」という）を、添付図面に基づいて詳細に説明する。
【００２１】
図２は第２実施形態に係る杖の三面図であり、図２（ａ）は正面図、図２（ｂ）は平面図、図２（ｃ）は右側面図、図２（ｄ）は斜視図である。なお、図２（ａ）及び図２（ｃ）は、杖１００が、地面Ｇに対して各脚部の下部の３点が接して自立した状態を示す。なお、特に説明のない限り、図２（ｂ）における上側及び図２（ｃ）における右側を、ぞれぞれ、前方と呼び、図２（ｂ）における下側及び図２（ｃ）における左側を、それぞれ、後方と呼ぶこととする。
第１実施形態と第２実施形態との差異は、頭部４０の構成であるので、以下では、主に頭部４０について説明し、共通する部分については説明を省略する場合がある。
【００２２】
図２（ａ）、図２（ｂ）、図２（ｃ）及び図２（ｄ）に示すように、第２実施形態に係る杖１００は、第１実施形態に係る杖１００と同様に、頭部４０と、頭部４０から分岐して垂下され、地面Ｇに接する接地部を下端に有する脚部と、を備える。脚部は、第１脚部１０、第２脚部２０及び第３脚部３０から構成される。このように、脚部は、第１実施形態に係る杖１００と同様に、３本である。
【００２３】
また、頭部４０は、第１実施形態に係る杖１００と同様に、略水平に延びる水平部４１と、水平部４１の両側から下方の後方に傾斜するように連なって延びる第１傾斜部４２及び第２傾斜部４３が設けられた持ち手部を有する。
【００２４】
ここで、第２実施形態に係る杖１００の頭部４０は、持ち手部とは別体の補剛部４４を有する。補剛部４４は、図２（ｂ）に示すように、平面視において、持ち手部と略同形状であり、水平面に沿うように、言い換えると、地面Ｇに対して平行になるように、配置されている。補剛部４４は、第１傾斜部４２と脚部２０との第１遷移部及び第２傾斜部４３と第２脚部３０との遷移部のそれぞれに対して、例えば、溶接や別部材を介して接続して一体化してよく、補剛部４４及び推移部の一方に他方を嵌合することによって一体化してもよい。
これにより、持ち手部に直接的に脚部が連なる第１実施形態に係る杖１００に比べて、杖１００の全体の剛性が高まり、変形し難くなるので、杖１００は使用者をしっかりと支持できる。
【００２５】
また、第１脚部１０は、補剛部４４に連なる。これにより、杖１００の全体の剛性を高められるとともに、持ち手部には第１脚部１０が連なることがないので、使用者は持ち手部を持ち易くなる。さらに、持ち手部は、第２脚部２０及び第３脚部３０の上端に片持ち支持された状態となり、図２（ｃ）において白抜き矢印で示す方向に弾性変形しやすくなるので、使用者が持ち手部を持った状態で前方の下方に力を作用させた際に、その力を持ち手部の弾性によって吸収できる。よって、特に、使用者が歩行する際に、杖１００を地面Ｇから持ち上げた状態から地面Ｇに着地させることを繰り返すことが想定されるが、着地時における杖１００から使用者に対する衝撃を和らげることができ、使用者が長時間に亘って使用しても疲れにくい杖１００とすることができる。
【００２６】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
例えば、脚部の下端に、クッション材を設けてもよい。これにより、衝撃吸収、滑り止め、消音効果を高める等の効果が得られる。
【００２７】
本発明の杖１００は、頭部４０と、頭部４０から分岐して垂下され、地面Ｇに接する接地部を下端に有する脚部と、を備え、脚部は、３本であるので、転倒することなくしっかりと使用者を支持でき、安定性が高い。
【符号の説明】
【００２８】
１０    第１脚部
２０    第２脚部
３０    第３脚部
４０    頭部
４１    水平部
４２    第１傾斜部
４３    第２傾斜部
４４    補剛部
１００  杖
Ｇ      地面
α      角度
β      角度
【図１】
2019058244.tif 000003
【図２】
2019058244.tif 000004